(57)【要約】      （修正有）【課題】車両の２つ折戸の手先扉に取付けても乗降口の有効幅が旅客車両としての使用基準に適合可能とした手摺を提供する。【解決手段】手先扉Daの内側面D1上の上方に折戸の開放状態で下向きに傾斜配置した固定欄干１と、固定欄干１下端に連続すると共に、内側面D1との平行状態を維持しながら上下揺動する様に手先扉Daの内側面D1上に上端2aを枢着した可動欄干２とを設け、手先扉Daの内側面D1上において可動欄干２の可動範囲外には、他端が釣元扉に固定されたワイヤ７の一端を固着し、折戸の開閉動作に連動してワイヤ７を巻取り及び繰り出し自在に揺動するドラムをワイヤ７の巻取り方向に付勢して取付け、可動欄干２とドラムとは、ドラムの揺動に応じ可動欄干２を折戸の閉鎖状態で縦長に垂下し、折戸の開放状態で下端2b側を手先扉Daの開放側端部ａより斜め下向きに外方突出して傾倒する様に上下揺動させるリンク機構部22を介して連繋する。【選択図】図８
2018062220.tif 000002
【特許請求の範囲】
【請求項１】
車両の乗降口に設けた手先扉と釣元扉とから成る２つ折戸において、手先扉の内側面上の上方に折戸の開放状態で乗降口に向かって下向きに傾斜配置した固定欄干と、該固定欄干の下端に連続すると共に、前記内側面との平行状態を維持しながら上下揺動する様に手先扉の内側面上に上端を枢着した可動欄干とを設け、手先扉の内側面上において可動欄干の可動範囲外には、他端が釣元扉に固定されたワイヤの一端を固着すると共に、折戸の開閉動作に連動してワイヤを巻取り及び繰り出し自在に揺動するドラムをワイヤの巻取り方向に付勢して取付け、可動欄干とドラムとは、該ドラムの揺動に応じ可動欄干を折戸の閉鎖状態で縦長に垂下し、折戸の開放状態で前記垂下時の下端側を手先扉の開放側端部より斜め下向きに外方突出して傾倒する様に上下揺動させるリンク機構部を介して連繋したことを特徴とする車両の２つ折戸における手摺。
【請求項２】
可動欄干は、折戸の開放状態で斜め下向きに緩斜させると共に、下端を所定の鈍角を以て下方屈曲形成したことを特徴とする請求項１記載の車両の２つ折戸における手摺。
【発明の詳細な説明】
【技術分野】
【０００１】
本発明は、バス等の車両の乗降口に設けた２つ折戸における手摺に関する。
【背景技術】
【０００２】
特許文献１には、車両の乗降口に設けた２つ折戸において、手先扉の内側面に平行配置され、且つ折戸の開閉動作に連動して前記内側面との平行状態を維持しながら上下揺動する欄干を設け、該欄干は折戸の閉鎖状態で縦長に直立し、折戸の開放状態で前記直立時の下端を手先扉の開放側端部より斜め下向きに外方突出して傾倒させた手摺が開示されている。
【０００３】
この手摺によれば、折戸の開放状態で、その手先扉の内側面上に欄干を傾倒させ、該欄干の下端を乗降口の外部下方へ突出することにより、欄干を車両内部から乗降口を通してその外部下方へ斜めに掛け渡すことができ、よって車両乗降に際して常に伝い歩きの支えとして欄干を利用でき安全に乗降できる。
【先行技術文献】
【特許文献】
【０００４】
【特許文献１】特許第５２６５９９０号公報
【発明の概要】
【発明が解決しようとする課題】
【０００５】
しかしながら、上記構成の手摺では、折戸が開放された使用状態で、欄干を車両内部から乗降口を通してその外部下方へ斜めに掛け渡すほどの長さを有し、折戸の閉鎖状態で手先扉の内側で縦長に直立させるために、折戸の可動範囲が広く、折戸の開度に応じて欄干を上下揺動させる欄干出没装置の外側に欄干を取付けねばならなかった。
【０００６】
すると、手先扉の内側面上に欄干出没装置と欄干を重ねて配置することになるので、折戸の開放状態における乗降口の有効幅（乗降口として有効に利用できる部分の幅）が車種によっては、旅客車両としての使用基準の６００ｍｍ以上に適合できず、上記構成の手摺を取付けられないものもあった。
【０００７】
そこで、本発明では、欄干とその出没装置を重合配置することなく手先扉に取付けることにより、乗降口の有効幅を旅客車両としての使用基準に適合できる様にした手摺を提供することを目的としている。
【課題を解決するための手段】
【０００８】
上記課題に鑑み、本発明の車両の２つ折戸における手摺は、車両の乗降口に設けた手先扉と釣元扉とから成る２つ折戸において、手先扉の内側面上の上方に折戸の開放状態で乗降口に向かって下向きに傾斜配置した固定欄干と、該固定欄干の下端に連続すると共に、前記内側面との平行状態を維持しながら上下揺動する様に手先扉の内側面上に上端を枢着した可動欄干とを設け、手先扉の内側面上において可動欄干の可動範囲外には、他端が釣元扉に固定されたワイヤの一端を固着すると共に、折戸の開閉動作に連動してワイヤを巻取り及び繰り出し自在に揺動するドラムをワイヤの巻取り方向に付勢して取付け、可動欄干とドラムとは、該ドラムの揺動に応じ可動欄干を折戸の閉鎖状態で縦長に垂下し、折戸の開放状態で前記垂下時の下端側を手先扉の開放側端部より斜め下向きに外方突出して傾倒する様に上下揺動させるリンク機構部を介して連繋したことを特徴とする。
又、可動欄干は、折戸の開放状態で斜め下向きに緩斜させると共に、下端を所定の鈍角を以て下方屈曲形成するのが望ましい。
【発明の効果】
【０００９】
要するに本発明は、車両の乗降口に設けた手先扉と釣元扉とから成る２つ折戸において、手先扉の内側面上の上方に折戸の開放状態で乗降口に向かって下向きに傾斜配置した固定欄干と、該固定欄干の下端に連続すると共に、前記内側面との平行状態を維持しながら上下揺動する様に手先扉の内側面上に上端を枢着した可動欄干とを設けたので、手摺の可動部分が従来に比し短い可動欄干だけのため、可動部分（可動欄干）を小型化できると共に、その可動範囲を従来に比し小さくでき、よって可動欄干の出没装置を小型化できると共に、従来の様にその出没装置と可動欄干を手先扉の内側面に重合配置することなく、出没装置を可動欄干の配置箇所とは別所である可動欄干の可動範囲外に配置でき、折戸の開放状態における乗降口の有効幅を従来に比し広げることができる。
そして、手先扉の内側面上において可動欄干の可動範囲外には、可動欄干の出没装置として、他端が釣元扉に固定されたワイヤの一端を固着すると共に、折戸の開閉動作に連動してワイヤを巻取り及び繰り出し自在に揺動するドラムをワイヤの巻取り方向に付勢して取付け、可動欄干とドラムとは、該ドラムの揺動に応じ可動欄干を折戸の閉鎖状態で縦長に垂下し、折戸の開放状態で前記垂下時の下端側を手先扉の開放側端部より斜め下向きに外方突出して傾倒する様に上下揺動させるリンク機構部を介して連繋して設けたので、折戸の開閉動作に応じてワイヤが押し引きされることでドラムを揺動させられ、これよりリンク機構部を介して可動欄干を上下揺動させられる。
よって可動欄干を乗降口に出没させるための専用の駆動源が不要で、可動欄干を動作させる上記出没装置を従来に比しよりシンプルに構成でき、可動欄干とその出没装置を手先扉の内側面上に然程突出させることなく扁平的で納まり良くコンパクトに配置でき、より一層上記有効幅を広げることができる。
又、折戸の開放状態では、手先扉の内側面上に固定配置した固定欄干に連続して可動欄干を車両内部から乗降口の外部下方へ斜めに外方突出させられるため、この様に連続する可動欄干及び固定欄干を乗降口を通してその外部下方へ斜めに掛け渡すことができ、車両乗降に際して常に伝い歩きの支えとなる手摺として利用でき安全に乗降できる。
しかも、本発明によれば、可動欄干は、固定欄干と異なる傾斜とすることでより使い勝手の良い手摺を構成できると共に、動作可能な可動欄干は従来よりも上記の通り小型化できるため、従来に比し軽量化も可能であり、車両走行中等の振動による不快な異音が発生し難い。
【００１０】
又、可動欄干は、折戸の開放状態で斜め下向きに緩斜させると共に、下端を所定の鈍角を以て下方屈曲形成したので、乗降時には可動欄干の下端が乗降口より握りやすい角度で突出させられると共に、その先で連続するなだらかに上向き傾斜することで伝い歩きの支えとして安全に乗車でき、逆に降車の際には、可動欄干が下向きに緩斜してその傾斜に沿って乗降口下の地上までスムーズにして安全に降車できる等その実用的効果甚だ大である。
【図面の簡単な説明】
【００１１】
【図１】本発明に係る手摺を備えた折戸の閉鎖状態における平面断面図である。
【図２】図１のＸ矢視図である。
【図３】図２のＹ矢視図である。
【図４】図２のＡ−Ａ断面図である。
【図５】上記折戸の半開き状態における平面断面図である。
【図６】図５のＸ矢視図である。
【図７】上記折戸の全開状態における平面断面図である。
【図８】図７のＸ矢視図である。
【発明を実施するための形態】
【００１２】
以下本発明の実施の一形態例を図面に基づいて説明する。
本発明に係る手摺は、バス等の車両の乗降口Ｇに設けた手先扉Daと釣元扉Dbとから成る２つ折戸FDの手先扉Daにおいて、手先扉Daの内側面D1上の上方に折戸FDの開放状態で乗降口Ｇに向かって下向きに傾斜配置した固定欄干１（図１、５、７では説明の都合上、下端側のみ図示。）と、該固定欄干１の下端に連続すると共に、内側面D1との平行状態を維持しながら上下揺動する様に手先扉Daの内側面D1上に上端2aを枢着した可動欄干２とを設けている。
【００１３】
折戸FDは、乗降口ＧのステップＳ上において、手先扉Daと釣元扉DbをヒンジＨにて屈伸自在に連結すると共に、釣元扉Dbの一側縁（釣元）を車両に枢着し、車両に装備した図示しない自動開閉装置を釣元扉Dbに連繋して釣元扉Dbを揺動操作することにより、釣元扉Dbと手先扉Daとを屈伸させて、乗降口Ｇを開閉している。
図示しないが、乗降口Ｇの上端と下端（ステップＳ）には、その横手に上下平行な凹溝が形成され、該凹溝の夫々に手先扉Daの開放側端部（一側縁）ａの上下端に突設した凹溝走行体を摺動自在に装着し、図１、５、７に示す如く、手先扉Daの開放側端部ａ側が常に同一線（凹溝の軸線に相当）上を往復直線運動する様に、折戸FDの開閉状態を規制している。
【００１４】
尚、折戸FDは、図示例のものに限らず、乗降口Ｇの左右に夫々設けて両開き状に成しても良く、この場合、当然ながら左右の折戸FDの各手先扉Daに上記手摺が備えられる。
又、折戸FDは、手動によって開閉するものであっても良い。
【００１５】
固定欄干１は、所定長さを有する中空丸棒状に形成され、手先扉Daの内側面D1上において所定高さ位置のヒンジ側端部a1側から開放側端部ａ側へ所定勾配を以て下向きに傾斜配置しており、その上端は内側面D1上のヒンジ側端部a1側に設けた固定金具３に固定されている。
又、窓Ｗ下部を被覆する様に内側面D1上に固定した基盤４において、窓Ｗ上で開放側端部ａ側からヒンジ側端部a1側へ下向き傾斜した斜辺4aの上部には、突片4bを外側へ起曲形成し、該突片4bに固定欄干１の下端面を固定している。
【００１６】
可動欄干２は、所定長さを有する中空丸棒の一端2b側を所定長さだけ所定の鈍角を以て「へ」字状に屈曲形成して成り、その他端2aを上端2aと成して基盤４において固定欄干１下端の延長線上の適所に枢軸2cを以て枢着して垂下される。
これにより、可動欄干２は、手先扉Daの内側面D1上に、該内側面D1との平行状態を常に維持しつつ上下揺動する様に取付けられる。
【００１７】
又、枢軸2cには、捩じりコイルバネ５（以下、単にバネ５と称する。）が外嵌され、該バネ５は、図示しない一端が可動欄干２の適所に掛止されると共に、他端が基盤４の適所に掛止され、可動欄干２の垂下状態を保持する方向（図２において左回り）に付勢している。
【００１８】
手先扉Daの内側面D1上において可動欄干２の可動範囲（図８において一点鎖線で示す扇形枠内）外となる窓Ｗの下方には折戸FDの開度に応じて可動欄干２を上下揺動操作する可動欄干２の出没装置６を取付けている。
出没装置６は、他端7bが釣元扉Dbに固定されたワイヤ７の一端7aを固着すると共に、折戸FDの開閉動作に連動してワイヤ７を巻取り及び繰り出し自在に揺動するドラム８をワイヤ７の巻取り方向（図２において右回り）に付勢して取付けている。
【００１９】
ドラム８が取付けられる内側面D1上には、ドラム８を付勢する捩じりコイルバネ９（以下、単にバネ９と称する。）を収納した扁平箱形のバネカバー10が基盤４下側縁に連続して固定される。
【００２０】
バネカバー10は、内側面D1と平行に配置された正面の中央に支軸11を突設し、該支軸11に半円に近い扇形板状に形成されたドラム８の中心を挿通し、該ドラム８を揺動自在と成している。
ドラム８は、手先扉Daの開放側端部ａに近い側の円弧端部8aに一端7aを固定してその円弧周面に凹設した溝8bにワイヤ７の一端7a側を添わせている。
【００２１】
バネ９はその一端（図示せず）がバネカバー10の図示しない適所に掛止され、他端（図示せず）がドラム８において内側面D1に対向する背面よりバネカバー10内に突入したバネ止めピン8cに掛止される。
尚、バネ止めピン8cはドラム８と共に揺動するため、バネカバー10の正面には、バネ止めピン8cの軌道に対応した円弧溝10ａが穿設されている。
【００２２】
ワイヤ７の他端7b側は、ドラム８の最下部に位置する溝8bと同一水平線に沿って釣元扉Db側へ延出して成り、その他端7bは釣元扉Dbのヒンジ側端部ｂ寄りの内側面D2上の適所に接合されたブラケットベース12上のブラケット13に固定されている。
【００２３】
ブラケットベース12上には、上下一対の平行板12ａ（図１、５、７にあっては説明の都合上、上方の平行板12ａの前端側のみを表し後方を破断している。）を水平配置し、該平行板12ａ間の後方のブラケットベース12上には、ブラケット13の基底部13ａがこれに設けた長穴を挿通する固定ボルト14で前後に位置調整自在にボルト留めされ、基底部13ａ前端に起曲形成した前突片13ｂにワイヤ他端7bが固定され、基底部13ａ後端に起曲形成した後突片13ｃは、平行板12ａの後端間に架設した支持板15を挿通する調節ボルト16の先端方を螺着している。
【００２４】
そして、固定ボルト14を緩め、調節ボルト16でブラケット13を前後させることにより、ワイヤ７の緊張状態を調整可能と成し、調整後は固定ボルト14を緊締することでワイヤ他端7bを位置決めしている。
【００２５】
平行板12ａは、その前端が釣元扉Dbのヒンジ側端部a1より若干前方へ突出した位置に配置され、その前端間には、折戸FDの屈伸に対応してワイヤ７を案内支持するワイヤガイド17の後端部を枢着している。
【００２６】
ワイヤガイド17は、屈曲部を外側に突出させた曲臂状に形成された一対のガイド板17ａを上下に平行配置して成り、ガイド板17ａ間の前後端部の夫々にワイヤ７を挿通可能に配置した一対のガイドプーリー18、18ａ、19、19ａを設けると共に、ガイド板17ａ間の屈曲部にもワイヤ７を該屈曲部に対応して外側へ折曲案内するガイドプーリー20を配置している。
尚、ワイヤガイド17は、その後端部の内側に配置したプリー19の軸を上下に延出して平行板12ａの前端間に枢着されている。
【００２７】
又、ワイヤガイド17の前端部は、手先扉Daの内側面D1上において平行板12ａの夫々と同一高さに水平配置した上下一対の案内板21にスライド自在に装着されている。
案内板21には、その前後にわたって長穴21ａを穿設し、ワイヤガイド17の前端部の上下に突出配置した転子（図示せず）を長穴21ａ内に転動可能に配置することにより、ワイヤガイド17を介して水平板12ａと案内板21を連結している。
【００２８】
そして、可動欄干２とドラム８とは、該ドラム８の揺動に応じ可動欄干２を折戸FDの閉鎖状態で縦長に垂下し、折戸FDの開放状態で前記垂下時の下端2b側を手先扉Daの開放側端部ａより斜め下向きに外方突出して傾倒する様に上下揺動させるリンク機構部22を介して連繋している。
【００２９】
尚、折戸FDの開放状態において、上記の通り「へ」字状に形成された可動欄干２は図示例では約10度の勾配を以て斜め下向きに緩斜させ、この時に外方突出する可動欄干２の下端2bは所定の鈍角（約130 度）を以て下方屈曲している。
【００３０】
リンク機構部22は、ドラム８において、その中心部から溝8bを形成した円弧周面とは逆方向に突設したアーム23と、該アーム23と可動欄干２の垂下状態で上端2a後方に突設した突片24とを枢着連結したリンク25とから成る。
【００３１】
尚、リンク25とアーム23とは、リンク25の下端から上端に向かって所定長さにわたり穿設した長穴25ａにアーム23の先端に設けた転子23ａを摺動自在に装着することで連結している。
【００３２】
又、手先扉Daの内側面D1上の適所には、折戸FDの全開時に傾倒（緩斜）する可動欄干２の上端2a側上部を当接支持する当止め26と、折戸FDの閉鎖時に垂下する可動欄干２の中間部後方を当接支持する当止め27を設けている。
【００３３】
尚、図中に示す符号28は、ドラム８の背面側で溝8bを構成する内側フランジの適所に外方突設した突片29を折戸FDの全開時に当接支持する様に突片29の軌道上であってバネカバー10の後方を切欠して設けたストッパーである。
【００３４】
更に、図中に示す符号30は、ワイヤガイド17の上方ガイド板17ａの適所に上方突設した円柱体31を折戸FDの全開時に当接支持する様に上方案内板21の後端に直立させた起曲片より後方へ向かって突設したストッパーである。
【００３５】
次に、上記の様に構成された手摺の動作を図面に基づき説明する。
先ず、折戸FDの閉鎖（伸展）状態では、手先扉Daと釣元扉Dbとは同一線上にあり、平行板12ａと案内板21は直列してワイヤガイド17の前端部は長穴21ａの前端に位置し、ドラム８は円弧端部8aを上限に位置させてワイヤ７を巻取り、アーム23を後倒させてその先端の転子23ａが長穴25ａ下端に位置してリンク25を後方へ引張し、該リンク25を介して可動欄干２を内側面D1上に沿って縦長に垂下させている（図１〜３参照）。
【００３６】
この時、垂下している可動欄干２はバネ５の付勢力により当止め27に当接支持され、走行中等の振動によってもガタつかない様に堅固に保持される。
【００３７】
そして、自動開閉装置等により、折戸FDを開放すべく、釣元扉Dbを開放方向へ回動すると、釣元扉Dbの回動位置に応じワイヤガイド17と共にワイヤ７が引張され、バネ５、９の付勢力に抗してドラム８と共にアーム23を左回りに回転させ、その先端の転子23ａを長穴25ａの上端に向かって摺動させ、転子23ａが長穴25ａの上端に当接すると、アーム25を介して可動欄干２を上方揺動させる（図５、６参照）。
【００３８】
その後、折戸FDが全開（屈曲）すると、ワイヤガイド17の前端部が長穴21ａの後端に位置してワイヤ７の殆どはドラム８より繰り出され、円弧端部8aは下限に位置し、ドラム８の突片29はストッパー28に当止め支持される。
【００３９】
この時、それまでアーム23に対し屈曲していたリンク25がアーム23の延長線上に沿って伸長して可動欄干２を所定の勾配を以て傾倒（緩斜）させ、該可動欄干２の上端2a側上部が当止め26に当接支持されると共に、ワイヤガイド17上の円柱体31がストッパー30に当接支持され、その緩斜状態が強固に維持される（図７、８参照）
【００４０】
これにより、手先扉Daの内側面D1上において所定高さ位置のヒンジ側端部a1側から開放側端部ａ側へ所定勾配を以て下向きに傾斜配置した固定欄干１に連続して可動欄干２を車両内部から乗降口Ｇの外部下方へ斜めに外方突出させられ、この様に連続する可動欄干２及び固定欄干１によって車両乗降時の伝い歩きの支えとなる手摺を構成するできる。
【００４１】
そして、乗客は乗降口Ｇより握りやすい角度で下向きに突出させられた下端2bを握ることで乗降口ＧのステップＳへ難なく踏み込め、その先で連続するなだらかに上向き傾斜する可動欄干２に添うことで足を車内へ踏み出し易くし、続く固定欄干１に寄り添うことで車内まで安全に入り込める。
【００４２】
又、降車の際には、車内から固定欄干１を支えの始端として伝って歩き、途中でなだらかに下向き傾斜する可動欄干２に沿って伝い歩くことで前のめりになることもなく、乗降口ＧのステップＳから安全に降り立つことができる。
【００４３】
又、折戸FDを上記全開状態から閉鎖させると、折戸FDの閉鎖動作に連動して出没装置６及びリンク機構部22は上記と逆の手順で動作し、折戸FDが伸展し乗降口Ｇを閉鎖した状態で可動欄干２は手先扉Daの内側面D1上に沿って縦長に垂下し、その状態が上記の通り保持される。
【符号の説明】
【００４４】
１  固定欄干
２  可動欄干
2a  上端
2b  下端
７  ワイヤ
7a  一端
7b  他端
８  ドラム
22  リンク機構部
FD  折戸
Da  手先扉
D1  内側面
ａ  開放側端部
Db  釣元扉
Ｇ  乗降口
【図１】
2018062220.tif 000003
【図２】
2018062220.tif 000004
【図３】
2018062220.tif 000005
【図４】
2018062220.tif 000006
【図５】
2018062220.tif 000007
【図６】
2018062220.tif 000008
【図７】
2018062220.tif 000009
【図８】
2018062220.tif 000010